(57)【要約】【課題】両端にブラシを設けた清掃用ブラシに、ピンセット部を内蔵し、ピンセット部を使用してごみを取り除く。【解決手段】清掃用ブラシ１０は第１の部材１１と第２の部材１２とから構成され、これらは結合により棒状体とされており、必要に応じて分離することができる。第１の部材１１の端部には第１のブラシ１１ｂが設けられ、他方の端部は筒状部１１ｄとされている。第２の部材１２の端部の先端に第２のブラシ１２ｄが設けられ、他方の端部にはピンセット部１２ｆが一体に設けられている。筒状部１１ｄ内に、ピンセット部１２ｆを挿入すると棒状の結合状態となる。  使用の際には、第１、第２のブラシ１１ｂ、１２ｄを使用しても清掃できない個所であったり、毛髪やごみが溜まった個所では、筒状部１１ｄから第２の部材１２を引き抜いてピンセット部１２ｆを取り出して使用する。【選択図】図３
2015070998.tif 000002
【特許請求の範囲】
【請求項１】
棒状体を第１の部材と第２の部材とに分離可能であって、前記第１の部材の一方の端部である先端部には第１のブラシを設け、前記第２の部材の一方の端部である後端部には前記第１のブラシとは大きさが異なる第２のブラシを設けた清掃用ブラシであって、
前記第２の部材の他方の端部にピンセット部を設け、前記第１の部材と第２の部材との結合状態において、前記第１の部材の他方の端部の筒状部内に前記ピンセット部を収納したことを特徴とする清掃用ブラシ。
【請求項２】
前記第１の部材の筒状部の底に凸状部を設け、前記第１の部材と第２の部材との結合状態において、前記ピンセット部の２本の挟持部の先端を前記凸状部により押し拡げることを特徴とする請求項１に記載の清掃用ブラシ。
【請求項３】
前記筒状部の側面に孔部を設け、前記第２の部材の他方の端部の側方に可動の押釦部を設け、該押釦部が前記孔部に係止することで前記第１の部材と第２の部材との結合状態を保持することを特徴とする請求項１又は２に記載の清掃用ブラシ。
【請求項４】
前記第１のブラシ、第２のブラシの一方は円柱状の先端部周面に複数の樹脂束を植立し、他方は平面部に複数の樹脂束を植立したことを特徴とする請求項１〜３の何れか１つの請求項に記載の清掃用ブラシ。
【請求項５】
前記平面部に複数の樹脂束を植立したブラシは、凹部を介して斜め方向に向けて屈曲していることを特徴とする請求項４に記載の清掃用ブラシ。
【発明の詳細な説明】
【技術分野】
【０００１】
本発明は、浴槽や排水口等に付着した汚れやごみ等を除去するために使用する清掃用ブラシに関するものである。
【背景技術】
【０００２】
特許文献１、２には、把持部の一端には大きなブラシから成る第１のブラシが設けられ、把持部の他端には小さいブラシから成る第２のブラシが設けられている浴室内を清掃する清掃用ブラシが開示されており、清掃場所に応じて第１のブラシ及び第２のブラシを使い分けて使用する。
【先行技術文献】
【特許文献】
【０００３】
【特許文献１】意匠第１３９４３６８号公報
【特許文献２】意匠第１１６０９１８号公報
【発明の概要】
【発明が解決しようとする課題】
【０００４】
特許文献１、２の清掃用ブラシを用いて掃除をする際には、先ず清掃対象が浴槽、浴室等の平面部に対しては大きな第１のブラシを用いて掃除を行い、隅部や排水溝の周辺は小さな第２のブラシを用いて掃除を行う。
【０００５】
更に排水溝には、毛髪や毛髪に絡まったごみ等が残留することがあり、手袋や素手でそれらのごみを掴んで取り除いているが、手袋や素手でごみを掴むことは、衛生的に好ましくない。
【０００６】
本発明の目的は、上述の課題を解消し、比較的大きなごみは両端の第１、第２のブラシで除去し、小さなごみは内蔵するピンセット部により取り除くことができる清掃用ブラシを提供することにある。
【課題を解決するための手段】
【０００７】
上記目的を達成するための本発明に係る清掃用ブラシは、棒状体を第１の部材と第２の部材とに分離可能であって、前記第１の部材の一方の端部である先端部には第１のブラシを備え、前記第２の部材の一方の端部である後端部には前記第１のブラシとは大きさが異なる第２のブラシを備えた清掃用ブラシであって、前記第２の部材の他方の端部にピンセット部を設け、前記第１の部材と第２の部材との結合状態において、前記第１の部材の他方の端部の筒状部内に前記ピンセット部を収納したことを特徴とする。
【発明の効果】
【０００８】
本発明に係る清掃用ブラシによれば、両端にブラシを設けた清掃用ブラシにおいて、ピンセット部を内蔵することにより、ピンセット部を取り出して毛髪や毛髪に絡まったごみを容易に取り除くことが可能となる。
【図面の簡単な説明】
【０００９】
【図１】実施例の清掃用ブラシの斜視図である。
【図２】清掃用ブラシの断面図である。
【図３】第１の部材と第２の部材を分離した状態の斜視図である。
【図４】ピンセット部を操作する場合の説明図である。
【発明を実施するための形態】
【００１０】
図１は清掃用ブラシの斜視図、図２は断面図、図３は第１の部材と第２の部材に分離した状態の斜視図である。
【００１１】
清掃用ブラシ１０は大きな第１のブラシを備える第１の部材１１と、この第１のブラシより小さな第２のブラシを備える第２の部材１２とから構成されている。第１、第２の部材１１、１２は合成樹脂製とされているが、軽金属等を適宜に採用してもよい。これらの第１、第２の部材１１、１２は結合により棒状体とされており、必要に応じて第１、第２の部材１１、１２に分離することができる。
【００１２】
第１の部材１１の一方の端部である円柱状の先端部１１ａに設けられた第１のブラシ１１ｂは、先端部１１ａの周面に設けられた複数の穴部にポリプロピレン、ナイロンから成る多数本の細い繊維体を棒状に束ねた複数の樹脂束１１ｃが多方向に向けて植立されている。第１のブラシ１１ｂの各樹脂束１１ｃの外側の包絡線による大きさは径が約４５ｍｍ、長さが約６０ｍｍの円柱状であり、各樹脂束１１ｃは長さ１０ｍｍ程度であり、先端部に向うにつれ稍々拡がっている。
【００１３】
第１の部材１１の他方の端部は、断面を例えば楕円状とした筒状部１１ｄとされ、この筒状部１１ｄの側面に孔部１１ｅと、筒状部１１ｄの底部に凸状部１１ｆとが形成されている。
【００１４】
第２の部材１２の一方の端部である後端部１２ａは柄部１２ｂとの間に凹部１２ｃを介して斜め方向に向けて屈曲されており、その先端に第２のブラシ１２ｄが設けられている。この第２のブラシ１２ｄは、ポリプロピレン、ナイロンから成る多数本の細い繊維体を束ねた複数の樹脂束１２ｅが、小判形の平面部に設けられた複数の穴部に一方向に向けて植立されている。第２のブラシ１２ｄは第１のブラシ１１ｂよりも小型で、樹脂束１２ｅの数も第１のブラシ１１ｂの樹脂束１１ｃの数よりも少なくされ、繊維の長さは１５ｍｍ程度とされている。
【００１５】
そして、第２の部材１２の他方の端部には、ピンセット部１２ｆと側方に向けて可動の押釦部１２ｇとが一体に設けられている。このピンセット部１２ｆは、２本の挟持部１２ｈと、この挟持部１２ｈの先端の一対の押さえ部１２ｉと、一方の挟持部１２ｈの中間に配置した凸片１２ｊとから成っている。
【００１６】
第１の部材１１の筒状部１１ｄ内に、第２の部材１２のピンセット部１２ｆと押釦部１２ｇとを挿入し、押釦部１２ｇが第１の部材の孔部１１ｅに係止することで、第１、第２の部材１１、１２は棒状の結合状態となり、孔部１１ｅに押釦部１２ｇが係止している間は、結合状態が保持される。第１、第２の部材１１、１２を結合状態の柄部１２ｂと筒状部１１ｄは、手で握る把持部１３となる。
【００１７】
ピンセット部１２ｆは第１の部材１１の筒状部１１ｄ内に奥まで挿し込むことにより、押さえ部１２ｉは凸状部１１ｆにより押し拡げられる。なお、これにより、ピンセット部１２ｆの収納時には押さえ部１２ｉは使用に際して常に拡がった状態となるので、使い易くなり、挟持部１２ｈの変形を防止することができる。
【００１８】
実施例においては、第１の部材１１に筒状部１１ｄを設け、第２の部材１２にピンセット部１２ｆを設けたが、第２の部材２２に筒状部を設け、第１の部材１１にピンセット部を設ける構造にしてもよい。
【００１９】
清掃用ブラシ１０を保管する際は、第１の部材１１と第２の部材１２とを結合した状態で、壁面等に設けたフック等に第２の部材１２の凹部１２ｃを引っ掛ける。これにより、第１の部材１１は垂直に垂れ下がるので場所をとることもない。
【００２０】
使用に際しては、清掃用ブラシ１０をフックから取り外し、把持部１３を手で握り、被清掃部が浴槽、浴室等の平面部の場合では、大きな第１のブラシ１１ｂにより摺擦して掃除を行う。また、被清掃部が隅部や排水溝の周辺の場合では、握りを逆にして小さな第２のブラシ１２ｄにより摺擦して掃除を行う。
【００２１】
第２のブラシ１２ｄを使用すると、第２のブラシ１２ｄの摺擦面が被清掃部と接する面と平行になるので、把持部１３を斜め方向から握ることになる。斜め方向から摺擦することが可能であるため、角部に対しても無理のない姿勢で掃除を行うことができる。
【００２２】
第１、第２のブラシ１１ｂ、１２ｄを使用しても清掃できない狭い個所であったり、毛髪やごみが溜まった個所では、ピンセット部１２ｆを使用する。このときは、押釦部１２ｇを押して孔部１１ｅに対する結合状態を解除し、第１の部材１１の筒状部１１ｄから第２の部材１２を引き抜く。この引き抜きによりピンセット部１２ｆを取り出し、図４に示すように、中指、薬指、小指で柄部１２ｂを握った状態で、親指、人差し指で各挟持部１２ｈを押さえながらピンセットとして使用し、被清掃物である毛髪やごみを一対の押さえ部１２ｉにより摘んで取り出すことが可能となる。
【００２３】
このとき、ピンセット部１２ｆは親指、人差し指で強く挟持したとしても、凸片１２ｊにより押さえ部１２ｉに対して必要以上に力が加わることがないので、ピンセット部１２ｆが破損する虞れはない。また、ピンセットとして第２の部材１２を使用すると、後端部１２ａは、斜め下方向に延在することになり、直接に第２のブラシ１２ｄを手で触れることがないので衛生的である。
【００２４】
更に、ピンセット部１２ｆの挟持部１２ｈは或る程度の長さを有するので、狭い場所にある対象物を挟持でき、更にピンセット部１２ｆの収納時には、強固な骨部材となるので、第１の部材１１と第２の部材１２とを結合しても、ぐらつくことがない。
【００２５】
なお実施例においては、第１のブラシ１１ｂは第２のブラシ１２ｄよりも大きくしたが、これらの第１、第２のブラシ１１ｂ、１２ｄは逆であっても支障はない。
【符号の説明】
【００２６】
１１  第１の部材
１１ａ  先端部
１１ｂ  第１のブラシ
１１ｄ  筒状部
１１ｅ  孔部
１１ｆ  凸状部
１２  第２の部材
１２ａ  後端部
１２ｂ  柄部
１２ｃ  凹部
１２ｄ  第２のブラシ
１２ｆ  ピンセット部
１２ｇ  押釦部
１２ｈ  挟持部
１３  把持部
【図１】
2015070998.tif 000003
【図２】
2015070998.tif 000004
【図３】
2015070998.tif 000005
【図４】
2015070998.tif 000006